(57)【要約】【課題】  安価で、取り付けに要する工事や面倒なメンテナンス作業を一切必要とせず、単に市販の雨水貯留タンク等の内部に投入しておくだけで、該タンク等に貯留される雨水に対して防臭、防藻、防菌等の浄化機能を長期間にわたって発揮し、安全で衛生的な雨水を安定的に供給する雨水浄化具を提供する。【解決手段】  防臭、防藻、防菌等の浄化機能を備えるメッキ処理が施された多数本の長繊維状の金属繊維１′を、互いに立体的に絡み合う所要大の塊状に形成して雨水浄化具１となす。雨水浄化具１を雨水が貯留されるタンク内に収容する。塊状の金属繊維１′はメッキ皮膜と雨水の接触面積を拡大し、浄化機能を向上させる。【選択図】  図１
0003166947.tif 000002
【実用新案登録請求の範囲】
【請求項１】
防臭、防藻、防菌等の浄化機能を備えるメッキ処理が施された多数本の長繊維状の金属繊維を、互いに立体的に絡み合う所要大の塊状に形成してなる雨水浄化具。
【請求項２】
塊状の金属繊維が、水中に浸漬可能で且つその水が流通自在なネット状袋材に収容されている請求項１に記載の雨水浄化具。
【請求項３】
塊状の金属繊維はＳＵＳ３０４ステンレス鋼である請求項１又は２に記載の雨水浄化具。
【請求項４】
雨水を貯留するタンク内に請求項１〜３の何れかに記載の雨水浄化具を収容してなる雨水貯留タンク。
【考案の詳細な説明】
【技術分野】
【０００１】
本考案は、雨水貯留タンク等に投入しておくだけで、該タンク等に貯留される雨水を長期間浄化する雨水浄化具及びこれを用いた雨水貯留タンクに関する。
【背景技術】
【０００２】
近年、貴重な水資源確保の観点から、雨水を溜めて有効利用しようという運動が広まりつつあり、教育施設や一般家庭においても市販の雨水貯留タンク等を設置して、屋根に降った雨水を貯留することにより、菜園用の散水や撒き水等へ雨水の利用が増えてきている。
【０００３】
しかし、雨水貯留タンク等に長期間溜められた雨水は、使用されるまでに腐って異臭を生じることがある。その結果、水中に藻を発生したり、肺炎を引き起こすレジオネラ菌等の雑菌が繁殖することもあり、衛生的とは言えず、水質に問題があった。
【０００４】
このため、従来より、雨水貯留タンク等に貯留する雨水を浄化して、藻の発生や雑菌の繁殖を防止しようとする技術が開発されてきた。特許文献１に記載されている「雨水浄化縦樋」は、その一例であり、図４に示すように、縦樋４’の内部に、複数本の筒状フィルター７を備えてなる雨水浄化装置８を組み込んだ構造になっている。
【０００５】
すなわち、前記雨水浄化装置８の備える複数本の筒状フィルター７は、例えば粒径が５〜１０００μｍ程度の超高分子量ポリエチレンを焼結成形して筒状に形成したもので、その筒壁に形成される５０〜１００μｍ程度の無数の微細孔により濾過機能が発揮されるようになっている。上記の超高分子量ポリエチレンには、必要に応じて粒径が１〜３μｍのゼオライト固体粒子に、銀，銅等の金属イオンを担持させたものが添加される。また、この雨水浄化装置８の組み込まれた縦樋４’は、この縦樋４’内部を流れる雨水が、上記の各筒状フィルター７を通過して縦樋の下部室９に流入し、その流入量が一定量以上になると各筒状フィルター７内で水面が上昇して、各筒状フィルター７の筒壁を内周側から外周側へと浸透し、外側の濾過室１０に流入した後、流出口１１から外部の水槽等に流出されるように構成されている。
【０００６】
したがって、縦樋４’内に流入した雨水は、縦樋内に組み込まれた浄化装置８が備える複数個の筒状フィルター７の筒壁を内周側から外周側へと浸透する過程で、雨水中に混入している塵埃や砂等が捕捉されるとともに、各筒状フィルター７筒壁の無数の微細孔等から露出したゼオライト固体粒子と接触して殺菌されるために、水槽等に長期間にわたって貯留された場合でも、藻類や雑菌の繁殖が防止されるのである。
【０００７】
しかしながら、前記した雨水浄化縦樋は、雨水を複数本の筒状フィルター７で浄化する仕組みが複雑で製作コストが高くつき、高価であること。浄化専用の縦樋４’であり、屋根に降った雨水を軒樋から地上に流下させる通常の縦樋４の下端に連結して取り付ける構造であるため、その取り付けに際しては、通常の縦樋４の下端部を所要長さ切断する等の取り付け工事を必要とすること。雨水を浄化する複数本の筒状フィルター７が目詰まりを生じ易く、年に数回は筒状フィルター７の取り替えや洗浄といった面倒なメンテナンス作業を行なう必要があること。等の問題を有している。このため、一般家庭への普及率は低いものであった。
【先行技術文献】
【特許文献】
【０００８】
【特許文献１】特開平１１−２００５７２号（特許請求の範囲、図１）
【考案の概要】
【考案が解決しようとする課題】
【０００９】
本考案は、このような従来の問題を解決しようとするものであって、安価で、取り付けに要する工事や面倒なメンテナンス作業を一切必要とせず、単に市販の雨水貯留タンク等の内部に投入しておくだけで、該タンク等に貯留される雨水に対して防臭、防藻、防菌等の浄化機能を長期間にわたって発揮し、安全で衛生的な雨水を安定的に供給する雨水浄化具、及びこれを用いた雨水貯留タンクの提供を目的とする。
【課題を解決するための手段】
【００１０】
上記目的を達成するために、本考案の雨水浄化具は、防臭、防藻、防菌等の浄化機能を備えるメッキ処理が施された多数本の長繊維状の金属繊維を、互いに立体的に絡み合う所要大の塊状に形成してなるものである。また、本考案の雨水貯留タンクは、その雨水浄化具をタンク内に収容したものである。
【００１１】
本考案においては、防臭、防藻、防菌等の浄化機能を備えるメッキ処理体が長繊維状の金属繊維であり、これが塊状に形成されているので、金属板などに比べて、対重量比で非常に大きい接触面積が確保される。また、接触の均一性も高い。更に、金属繊維の流出も阻止される。これらのため、貯留した雨水に対して効率のよい安定した浄化処理が施される。
【００１２】
防臭、防藻、防菌等の浄化機能を備えるメッキ処理が施される長繊維状の金属繊維には、これ自体も錆びにくいＳＵＳ３０４ステンレス鋼製の長繊維状金属繊維を使用するのが良い。また、当該メッキ処理が施された金属繊維の流出を防止しなければならず、そのため、小分けした金属繊維を袋詰状にし、タンク容量に応じて、袋詰状にした金属繊維の大きさを考慮できる様にするのも一案である。
【考案の効果】
【００１３】
本考案の雨水浄化具及びこれを使用した雨水貯留タンクは、防臭、防藻、防菌等の浄化機能を備えるメッキ処理が施された多数本の長繊維状の金属繊維が、互いに立体的に絡み合うことにより、その絡み合った無数の繊維間隙に空気層が介在して、押しても戻るクッション性に富んだ綿のような嵩高い塊状をなしている。したがって、これをその塊状のままで、またはネット状の袋材に袋詰めにした状態で、雨水貯留タンク内に投入しておくと、該タンク内に流入する雨水が、これらの塊の立体的に絡み合う長繊維の間隙を通過して、雨水と各長繊維のメッキ被膜との高効率、かつ面積的に広い接触が行なわれる。このような接触により、該タンク内の貯留雨水が自然に浄化され、無臭で藻や雑菌の繁殖のない安全で衛生的な雨水が、安価に、しかも雨水タンク内部に投入するだけの極めて簡単な作業により、長期間にわたって安定的に供給されるのである。
【図面の簡単な説明】
【００１４】
【図１】本考案を説明する斜視図である。
【図２】本考案の雨水貯留タンク内部への投入状態を説明する縦断側面図である。
【図３】本考案の他の実施例を説明する斜視図である。
【図４】従来の雨水浄化装置の一例を説明する縦断側面図である。
【考案を実施するための形態】
【００１５】
以下、本考案の実施形態を図面に基づいて説明する。図１は、本考案の実施の一例を示す斜視図である。同図に示すように、本考案の雨水浄化具１は、防臭、防藻、棒菌等の浄化機能を備えるメッキ処理が施された多数本の長繊維状の金属繊維１’を、互いに立体的に絡み合う所要大の塊状に形成してなるものである。
【００１６】
すなわち、個々の長繊維状の金属繊維１’は、ＳＵＳ３０４ステンレス鋼を周知の切削加工法や冷間引き抜き加工法、あるいは溶解してノズルから線を引き出すダイスによる引き落とし加工法等により極細繊維状に形成したものである。
【００１７】
上記の防臭、防藻、防菌等の浄化機能を備えたメッキ処理とは、具体的には、株式会社神戸製鋼所の開発に係る高機能抗菌メッキ技術である商標名「ＫＥＮＩ ＦＩＮＥ（ケニファイン」を使用するメッキ処理を指している。このケニファインは、ニッケル系合金メッキ技術の一種であって、レジオネラ菌等の各種雑菌に対する抗菌性を有するのみならず、防藻性や防臭、防カビ性等をも有する優れた浄化機能を備えており、この浄化機能は、たとえ光の届かない暗所においても、長期間にわたって有効に発揮されるというものである。
【００１８】
本考案の雨水浄化具１は、前記した長繊維状金属繊維１の一本一本に上記ケニファインのメッキ処理を施し、かつ、これらの金属繊維１’を互いに立体的に絡み合う所要大の塊状に形成することによって、この立体的に絡み合う各金属繊維１’のメッキ被膜に、雨水タンク内に貯留される雨水が幅広く接触するように構成してあり、これにより該雨水中のレジオネラ菌等の雑菌が死滅または、増殖はみられず藻やカビ類の発生、異臭の発生が有効に防止される浄化機能が得られるようになっている。
【００１９】
上記構成よりなる本考案の雨水浄化具１を使用する場合には、図２に示すように、例えば２００リットルの雨水貯留タンク２の蓋３を開き、その開口部より１６グラム程度の雨水浄化具１を雨水貯留タンク２内に投入する。そうして、蓋３を閉じ、屋根に降った雨水が縦樋４等を介してタンク２内部に貯留される状態にしておく。１６グラム程度の雨水浄化具１は両手の上に十分に載る程度の大きさである。
【００２０】
これにより、屋根に降った雨水がタンク２内部に流入すると、その雨水はタンク２内に投入された各雨水浄化具１の立体的に絡み合う長繊維状の金属繊維１’に接触する。そして、貯留中、更には排出中における長繊維状金属繊維１’のケニファイン被膜との十分な接触により、タンク２内部に貯留された雨水は浄化され、蛇口５を開くと、常に安全で、衛生的な雨水が供給されるのである。
【００２１】
図３は、本考案の他の実施の一例を示す斜視図である。これは、ケニファインを施した多数本の長繊維状の金属繊維１’を、互いに立体的に絡み合う所要大の塊状に形成して、水中に浸漬可能なネット状袋材６に袋詰めにした例である。水中に浸漬可能なネット状袋材としては、ナイロン等の樹脂製や紗等の布製の袋材が推奨される。この例によれば、金属繊維１’の雨水タンク２内での分離が防止されるほか、雨水浄化具１の雨水タンク２への投入、取出し時等における取り扱い性や保管性の向上を図ることができる。
【実施例】
【００２２】
塊状金属繊維を水槽内に入れないブランク（そのまま）では、藻類の繁殖が顕著に確認された。塊状金属繊維を入れた水槽では、４日後も３５日後も藻類の繁殖はみられなかった。ただし、塊状金属繊維に付着した藻類の死滅にまでは至らなかった。一般細菌数は容量の小さい水槽ほど少なくなり、且つ期間経過と共に減少した。雨水浄化具１としての塊状金属繊維は防藻力、静菌力を有することが確認された。
【符号の説明】
【００２３】
１  雨水浄化具
１’金属繊維
２  雨水貯留タンク
３  蓋
４  縦樋
５  蛇口
６  袋材
【図１】
0003166947.tif 000003
【図２】
0003166947.tif 000004
【図３】
0003166947.tif 000005
【図４】
0003166947.tif 000006